(57)【特許請求の範囲】
【請求項１】
前端面に光ファイバ挿通孔と該光ファイバ挿通孔をほぼ左右に挟むピン嵌合孔が開口され、この光ファイバ挿通孔の開口を含む先端面の部分は下端側に向かうにつれて後方寄りとなる斜め面と成し、光ファイバ挿通孔が開口するこの斜め面の上側は段差を介して前方に突き出す突き出し面と成し、この突き出し面は前記光ファイバ挿通孔の中心軸線に対し垂直なフラット面と成している光コネクタのフェルール部品。
【請求項２】
請求項１記載のフェルール部品の光ファイバ挿通孔に後方側から光ファイバを挿通して斜め面に露出させ、この挿通した光ファイバを光ファイバ挿通孔内に注入した接着剤を用いて接着固定し、然る後にフェルール部品の前端面を斜め面に合わせた向きで研磨開始し、斜め面の上側の段差を研磨除去し斜め面を光ファイバ先端面と共に研磨仕上げする光コネクタの製造方法。
【発明の詳細な説明】
【０００１】
【発明の属する技術分野】
本発明は、光コネクタのフェルール部品およびその部品を用いた光コネクタの製造方法に関するものである。
【０００２】
【従来の技術】
図３には従来の光コネクタのフェルール部品の構成例が示されている。同図において、エポキシ等の熱硬化性樹脂の金型成形によって形成されるフェルール部品１は扁平の方形形状を呈し、その前端面２は平坦なフラット面となっており、この前端面２には複数の光ファイバ挿通孔３が左右水平方向に配列形成されており、この光ファイバ挿通孔群を左右に挟む位置にピン嵌合孔４が形成されている。
【０００３】
図３の（ｂ）に示すように、光ファイバ挿通孔３はフェルール部品１の後端側から前端面２に貫通形成されており、この光ファイバ挿通孔３の前端側は光ファイバ（裸光ファイバ）ががたつきなく挿通する微細孔となっており、光ファイバ挿通孔３の後端側は光ファイバ心線の被覆部が挿入できるように上下の開口幅は広めに形成されている。
【０００４】
この光ファイバ挿通孔３の途中位置には接着剤注入穴６が形成されている。なお、図３の（ｂ）の裸光ファイバが挿通される光ファイバ挿通孔３の孔部分は分かり易くするために、実際よりも大径に描かれている。
【０００５】
このフェルール部品１を用いて光コネクタを製造する際は、例えばテープ心線等の多心光ファイバ心線の先端側を皮剥ぎし、被覆部を除去して裸光ファイバを露出させておき、この状態で、多心光ファイバ心線をフェルール部品１の後端側から光ファイバ挿通孔３に挿入し、各心の裸光ファイバを光ファイバ挿通孔３を貫通させて前端面２に突き出す。そして、接着剤注入穴６に接着剤を注入することにより、接着剤は光ファイバ挿通孔３内に侵入し、光ファイバは光ファイバ挿通孔３内で接着剤により固定される。このとき、光ファイバ挿通孔３内に侵入した接着剤７は図４に示すようにフェルール部品１の前端面２に染み出して固化した状態となる。
【０００６】
この状態で、まず、前端面２の平面研磨、つまり、フラット研磨が行われ、図４に示す裸光ファイバ８と接着剤７とフェルール部品１の先端面のＡの部分が研磨される。次に、Ｂの部分が斜め研磨されて、多心光ファイバ心線の裸光ファイバ８はこの斜め面10に露出させた状態となり、この斜め研磨を行うことにより光コネクタの製造が完了する。
【０００７】
光コネクタの接続を行う場合は、光コネクタの前端面（接続端面）のピン嵌合孔４にピンを差し込み、そのピンの他端側からは接続相手の光コネクタのフェルール部品を挿入することで、接続し合う互いの光コネクタの位置合わせを行い、これにより、一方側の光コネクタの光ファイバとこれに対応する他方側の光コネクタの光ファイバとを軸合わせ状態で対向接触させて光ファイバのコネクタ接続を達成するものである。
【０００８】
なお、前記フェルール部品１の斜め研磨は、接続端面に露出する裸光ファイバ８の面を斜め面とすることで、その光ファイバの接続端面の反射光の影響を防止して、接続損失の低減化を図るものである。
【０００９】
【発明が解決しようとする課題】
しかしながら、従来のフェルール部品１はその前端面が光ファイバ挿通孔３の中心軸線に垂直なフラット面となっているため、その前端面２に染み出し固化されている接着剤７の部分を確実に取り除くためのフラット研磨は必ず行う必要があり、そのフラット研磨の後に、斜め研磨を行う必要があり、研磨工程が増え、また、フラット研磨と斜め研磨が行われるために、研磨量も多くなり、研磨の時間が長くかかるという問題があり、研磨の作業効率を高める上で支障となっていた。
【００１０】
ピン嵌合孔４および各光ファイバ挿通孔３は互いに平行になるように設計するが、実際に作成する際には、これらの孔は傾く場合があり、孔の傾きが生じている場合においても、金型成形品においては、これらのピン嵌合孔４や光ファイバ挿通孔３の相対位置間隔はフェルール部品１の前端面２側では正確に互いの位置決め（位置出し）がされている。しかし、フェルール部品１の前端面２から内部に入り込むにつれ、各孔の相互の相対位置のずれ量が大きくなる。
【００１１】
従来のフェルール部品１の研磨に際しては、図４に示すように、裸光ファイバ８の中心軸線上で、最初のフラット研磨により、フェルール部品１の前端面２からｄA の厚み分だけ研磨され、次の斜め研磨によりさらにｄB の厚み分だけ研磨される結果、トータル的に、裸光ファイバ８の中心軸線上ではフェルール部品１の前端面２からＤ0 （Ｄ0 ＝ｄA ＋ｄB ）の大きな厚み部分の研磨が行われるために、これら光ファイバ挿通孔３が僅かに斜めになっているような場合や、ピン嵌合孔４が僅かに斜めになっているような場合には、フェルール部品１からの厚み方向の研磨量が多くなるために、これら各孔３，４の相互の位置ずれ量が大きくなり、光コネクタの接続特性が悪くなるという問題が生じる。
【００１２】
本発明は上記課題を解決するためになされたものであり、その目的は、フェルール部品の研磨工数や研磨量を少なくし、製造作業の効率化を図り、さらに接続特性に優れた光コネクタを得ることが可能な光コネクタのフェルール部品およびその部品を用いた光コネクタの製造方法を提供することにある。
【００１３】
【課題を解決するための手段】
本発明は上記目的を達成するために、次のような手段を講じている。すなわち、光コネクタのフェルール部品の発明は、前端面に光ファイバ挿通孔と該光ファイバ挿通孔をほぼ左右に挟むピン嵌合孔が開口され、この光ファイバ挿通孔の開口を含む先端面の部分は下端側に向かうにつれて後方寄りとなる斜め面と成し、光ファイバ挿通孔が開口するこの斜め面の上側は段差を介して前方に突き出す突き出し面と成し、この突き出し面は前記光ファイバ挿通孔の中心軸線に対し垂直なフラット面と成している構成をもって課題を解決する手段としている。
【００１４】
また、光コネクタの製造方法の発明は、前記本発明の構成を備えたフェルール部品の光ファイバ挿通孔に後方側から光ファイバを挿通して斜め面に露出させ、この挿通した光ファイバを光ファイバ挿通孔内に注入した接着剤を用いて接着固定し、然る後にフェルール部品の前端面を斜め面に合わせた向きで研磨開始し、斜め面の上側の段差を研磨除去し斜め面を光ファイバ先端面と共に研磨仕上げする構成をもって課題を解決する手段としている。
【００１５】
上記構成の発明において、光コネクタ部品の光ファイバ挿通孔に光ファイバを挿通して接着剤により固定したとき、光ファイバ挿通孔が開口する斜め面の上側は段差を介した突き出し面となっているので、接着剤が光ファイバ挿通孔から斜め面に染み出しても、その接着剤は段差により阻止されて、突き出し面まで染み出すことが防止される。
【００１６】
したがって、接着剤の染み出し固化部分を除去するための突き出し面のフラット研磨は特に必要なく、斜め研磨のみが行われる。この斜め研磨により、斜め面に染み出し固化している接着剤を研磨除去し、斜め面を光ファイバの先端面と共に研磨して光コネクタの製造を終了する。
【００１７】
本発明では斜め研磨のみが行われるので、従来のフラット研磨と斜め研磨を行う場合に比べ研磨量は少量となり、研磨工数も斜め研磨だけでよいので、研磨時間が短くなり、研磨の作業効率が大幅にアップする。
【００１８】
また、研磨によるフェルール部品の前端面からの厚み方向の削り幅も小さくなるので、たとえ、光ファイバ挿通孔やピン嵌合孔が多少斜めに形成されていたとしても、その互いの孔の相対位置ずれは小さなものとなり、光コネクタの接続特性の悪化を最小限に抑え、光コネクタの接続の信頼性を確保できることとなり、前記光コネクタ製造の効率化が図れることと相俟って、本発明の目的とする課題解決が達成される。
【００１９】
【発明の実施の形態】
以下、本発明の実施形態例を図面に基づき説明する。図１には本発明の一実施形態例のフェルール部品の構成が示されている。なお、本実施形態例の説明において、従来例と同一の部分には同一符号を付し、その重複説明は省略する。
【００２０】
本実施形態例のフェルール部品の特徴的なことは、フェルール部品１の前端面２を、斜め面15と光ファイバ挿通孔３の中心軸線に対して垂直なフラット面16によって構成し、斜め面15の上端側に前方に突き出す段差17を設け、フラット面16を斜め面15に対して前方へ突き出す突き出し面としたことであり、それ以外の構成は前記従来例と同様である。
【００２１】
本実施形態例では光ファイバ挿通孔３は段差17よりもやや下側に形成して、光ファイバ挿通孔３は斜め面15に開口させている。なお、斜め面15は下側に向かうにつれ、後方側に寄る図１の図示では右下がりの面となっている。この斜め面15の垂直面に対する角度は、光ファイバ挿通孔３に挿通される光ファイバの接続に際しての反射光の影響を最も少なくできる角度の約８°に設定している。
【００２２】
また、斜め面15の上端からのフラット面16の突き出し量は、光ファイバ挿通孔３に収容された光ファイバ（裸光ファイバ８）を接着する接着剤の染み出しがフラット面16側に侵入するのを阻止する最小の突き出し量とすることが後の研磨時間を短縮化する上で好ましい。
【００２３】
本実施形態例のフェルール部品１を用いて光コネクタを製造するには、従来例と同様に、光ファイバ挿通孔３に光ファイバ心線をフェルール部品１の後端側から挿入し、裸光ファイバ８を光ファイバ挿通孔３を通して斜め面15に露出させ、この状態で、接着剤注入孔６から接着剤を注入して接着剤を光ファイバ挿通孔３に侵入させて光ファイバをフェルール部品１に接着固定する。
【００２４】
図２はこの裸光ファイバ８の接着状態を示しており、斜め面15に染み出した接着剤７は段差17に遮られてフラット面16には染み出さない状態で固化する。
【００２５】
次に、斜め面15の向きに合わせて斜め面15を研磨する。この研磨により、斜め面15から突き出した裸光ファイバ８の部分と染み出して固化した接着剤７の部分と段差17の部分が研磨除去され、さらに短時間の研磨が進められて裸光ファイバ８の先端面が斜め面15と共に研磨された状態で研磨作業を終了し、光コネクタの製造が完了する。
【００２６】
本実施形態例では、斜め面15とフラット面16との間に段差17を介しているので、光ファイバ挿通孔３から光ファイバを接着する接着剤が斜め面15に染み出しても、その染み出した接着剤は段差17に遮られてフラット面16に侵入するのが遮られるので、従来のような固化した接着剤を除去するためのフラット面16の研磨は必要なくなり、研磨作業は斜め面15の研磨だけを行えばよいので、従来例に比べ研磨工数が少なくなり、かつ、研磨量も少なくなるので、研磨の作業時間が大幅に短縮され、研磨作業の大幅な効率化を達成することが可能となる。
【００２７】
なお、本発明者は、従来例の場合と本実施形態例の場合との研磨時間を比較したところ、本実施形態例は従来例に対し研磨時間を約１／14以下に短縮できることを実証している。
【００２８】
また、前記の如く、研磨量を少なくできるので、図２に示すように、光ファイバの中心軸線上での深さ方向の削りしろｄC は小さな深さ幅となり、したがって、フェルール部品１を金型成形する際、光ファイバ挿通孔３やピン嵌合孔４等が僅かに傾き形成された場合においても、その研磨の削り深さが小さいために、各孔の相対的なずれ量を小さく抑えることができ、従来例の如く削りしろが多大なために各孔の相対位置ずれが大きくなってしまうという不具合を解消でき、これにより、光コネクタの接続の信頼性を高めることができる。
【００２９】
なお、本発明は上記実施形態例に限定されることはなく、様々な実施の形態を採り得るものである。
【００３０】
【発明の効果】
本発明は、フェルール部品の前端面を斜め面とフラット面で構成し、斜め面に対してフラット面を段差を介して前方に突き出す突き出し面とし、光ファイバ挿通孔を斜め面に形成する構成としたものであるから、光ファイバを光ファイバ挿通孔に挿通して接着剤で固定する際、接着剤が光ファイバ挿通孔に侵入して斜め面に染み出しても、その染み出した接着剤は段差により阻止されてフラット面に侵入するのを防止できることになる。
【００３１】
したがって、本発明のフェルール部品を使用して光コネクタを製造する際、フラット面には接着剤が染み出し固化することはないので、その除去のためにフラット面を研磨する必要がなく、研磨は斜め面に対してのみ行えばよいので、研磨工数を少なくでき、しかも、研磨量を少なくできるので、研磨時間を短縮化でき、研磨作業の作業効率を格段に高めることが可能となる。
【００３２】
また、研磨量が少なくなるので、必然的に深さ方向の研磨幅も小さくなり、したがって、たとえ、フェルール部品の金型成形時に、光ファイバ挿通孔やピン嵌合孔が僅かに斜め向きに形成されたとしても、その互いの孔の相対的な位置ずれ量を小さくすることが可能となり、これにより、光コネクタ接続の大幅な特性悪化を防止し、光コネクタ接続の信頼性を高めることができる。
【図面の簡単な説明】
【図１】本発明のフェルール部品の一実施形態例の構成説明図である。
【図２】本発明のフェルール部品を用いた光コネクタの製造方法の説明図である。
【図３】従来のフェルール部品の説明図である。
【図４】従来のフェルール部品を用いた光コネクタの製造方法の説明図である。
【符号の説明】
１  フェルール部品
３  光ファイバ挿通孔
４  ピン嵌合孔
15  斜め面
16  フラット面
17  段差
【図１】
0003813265.tif 000002
【図２】
0003813265.tif 000003
【図３】
0003813265.tif 000004
【図４】
0003813265.tif 000005